(57)【特許請求の範囲】
【請求項１】
引き形式のサッシ窓又は引戸における障子の戸先框の室内側面又は室外側面に取付ねじで固定される縦長の基体と、前記基体に形成されたスライド体支持孔に嵌合して前記基体により障子開閉方向にスライド可能に支持され、前記スライド体支持孔から前記サッシ窓又は引戸の縦枠に向かって進退するスライド体と、前記スライド体を操作する、前記基体により垂直支軸まわりに回動可能に支持されたレバー部材とを備えた、前記障子を開く方向への前記レバー部材の操作力を梃子の原理により拡大して前記スライド体に伝達し、拡大された前記操作力により前記スライド体が進出する開放操作力軽減機能付き引手装置であって、
前記スライド体の室内側面又は室外側面の前記縦枠から遠い側の部分にラック歯を一体形成するとともに、前記ラック歯に噛合する、前記垂直支軸を回動中心軸とした部分円筒歯車を前記レバー部材に一体形成することにより、前記スライド体及び前記レバー部材を連動させてなり、
前記基体の前記スライド体支持孔の上下位置に、前記取付ねじが室内外方向へ挿通される取付ねじ挿通孔を形成し、前記取付ねじ挿通孔よりも前記縦枠から遠い位置に前記垂直支軸を設け、
前記スライド体が最も後退した位置で、前記基体を室内側又は室外側から見ると、前記レバー部材により前記取付ねじ挿通孔が被われるように、前記レバー部材が前記縦枠側へ倒れた状態になることを特徴とする開放操作力軽減機能付き引手装置。
【請求項２】
前記基体、前記スライド体、及び前記レバー部材を合成樹脂製とするとともに、前記垂直支軸を前記基体及び前記レバー部材間の凹凸嵌合により形成してなる請求項１記載の開放操作力軽減機能付き引手装置。
【請求項３】
前記基体及び前記レバー部材間にねじりコイルばねを取り付けて、前記基体に対して前記レバー部材を回動させる弾性付勢力を作用させることにより、前記障子を開けた状態で前記スライド体を最も後退した位置までスライドさせる請求項１又は２記載の開放操作力軽減機能付き引手装置。
【発明の詳細な説明】
【技術分野】
【０００１】
本発明は、引き形式のサッシ窓又は引戸において、その障子を閉じた状態から開く際の開放操作力を軽減する機能を備えた引手装置に関する。
【背景技術】
【０００２】
近年、引違い、片引き又は両引き（引分け）の引き形式のサッシ窓又は引戸において、気密性が向上しているとともに、複層ガラス入り障子等の普及により障子自体の重量が増大しているため、引き形式のサッシ窓又は引戸の障子を閉じた状態から開く際に必要な開放操作力が大きくなっており、ユニバーサルデザインの観点から前記開放操作力を軽減する必要がある。
前記開放操作力を軽減する機能を備えた引手装置において、構成が比較的簡素で意匠性が高いものとして、障子（３，４）の戸先框（５ｄ，７ｄ）の室内側面に取付ねじで固定される縦長のベース部（１２）、前記取付ねじを隠すためにベース部（１２）に装着されるキャップ（２０，２０）、垂直の支軸（１４）により軸支されてベース部（１２）に対して横方向に回動し、一端を引手部（９）、他端を出力部（１０ｘ）としたレバー部材（１０）、ベース部（１２）に対して障子（３，４）の開閉方向へ進退し、出力部（１０ｘ）により押圧されてベース部（１２）内より縦枠（２ｃ，２ｄ）に突出して障子（３，４）を開方向に押し出す突出部（１１）、及び突出部（１１）の基端部に形成した鍔状の規制部（１８）を押圧して突出部（１１）をベース部（１２）内に戻す復帰ばね（１３）を有し、ベース部（１２）、レバー部材（１０）及び突出部（１１）をプラスチック製とし、支軸（１４）及び復帰ばね（１３）を金属製としたものがある（特許文献１参照）。
【先行技術文献】
【特許文献】
【０００３】
【特許文献１】特開２００６−９７２４８号公報
【発明の概要】
【発明が解決しようとする課題】
【０００４】
特許文献１の開放操作力軽減機能付き引手装置は、障子（３，４）を開ける方向へ引手部（９）を操作して支軸（１４）まわりにレバー部材（１０）を回動させ、レバー部材（１０）の出力部（１０ｘ）により突出部（１１）を押し出すことにより、梃子の原理を利用して前記開放操作力を軽減する構成としているので、把手機構を引手構造とすることにより引手部の大きさを小さくできること等の特徴があるものである。
【０００５】
しかしながら、レバー部材（１０）の出力部（１０ｘ）により突出部（１１）を押し出す構成であり、レバー部材（１０）と突出部（１１）は、これらだけでは連動しないため、突出部（１１）の脱落を防止する鍔状の規制部（１８）を突出部（１１）の基端部に形成し、圧縮コイルばねである復帰ばね（１３）で規制部（１８）を押圧することにより、突出部（１１）をベース部（１２）内に戻すとともに、突出部（１１）の基端面とレバー部材（１０）とが当接した状態で、レバー部材（１０）が障子（３，４）の面に対して略直角になった待機位置にするように構成される。
【０００６】
したがって、前記待機位置でレバー部材（１０）が障子（３，４）の面に対して略直角になっているので、外障子（３，４）の戸先框（５ｄ，７ｄ）の室内側面にベース部（１２）を取り付ける取付ねじを隠して意匠性を高めるために、前記取付ねじを隠すキャップ（２０，２０）をベース部（１２）に装着している。
また、レバー部材（１０）を軸支する支軸（１４）、及びレバー部材（１０）と突出部（１１）を連動させるための復帰ばね（１３）が必須の構成部品である。
更に、規制部（１８）を押圧する復帰ばね（１３）により突出部（１１）をベース部（１２）内に戻す必要があるため、ベース部（１２）の突出部（１１）まわりの見込み方向の厚みが大きくなる。
よって、特許文献１の開放操作力軽減機能付き引手装置は、前記特徴を有する構成が比較的簡素で意匠性が高いものであるが、構成部品数を少なくして製造コストを低減することや、よりコンパクトに形成するという観点からは改良の余地がある。
【０００７】
そこで本発明が前述の状況に鑑み、解決しようとするところは、簡素な構成で意匠性が高く、製造コストを低減できるとともに、よりコンパクトに形成できる開放操作力軽減機能付き引手装置を提供する点にある。
【課題を解決するための手段】
【０００８】
本発明に係る開放操作力軽減機能付き引手装置は、前記課題解決のために、引き形式のサッシ窓又は引戸における障子の戸先框の室内側面又は室外側面に取付ねじで固定される縦長の基体と、前記基体に形成されたスライド体支持孔に嵌合して前記基体により障子開閉方向にスライド可能に支持され、前記スライド体支持孔から前記サッシ窓又は引戸の縦枠に向かって進退するスライド体と、前記スライド体を操作する、前記基体により垂直支軸まわりに回動可能に支持されたレバー部材とを備えた、前記障子を開く方向への前記レバー部材の操作力を梃子の原理により拡大して前記スライド体に伝達し、拡大された前記操作力により前記スライド体が進出する開放操作力軽減機能付き引手装置であって、前記スライド体の室内側面又は室外側面の前記縦枠から遠い側の部分にラック歯を一体形成するとともに、前記ラック歯に噛合する、前記垂直支軸を回動中心軸とした部分円筒歯車を前記レバー部材に一体形成することにより、前記スライド体及び前記レバー部材を連動させてなり、前記基体の前記スライド体支持孔の上下位置に、前記取付ねじが室内外方向へ挿通される取付ねじ挿通孔を形成し、前記取付ねじ挿通孔よりも前記縦枠から遠い位置に前記垂直支軸を設け、前記スライド体が最も後退した位置で、前記基体を室内側又は室外側から見ると、前記レバー部材により前記取付ねじ挿通孔が被われるように、前記レバー部材が前記縦枠側へ倒れた状態になることを特徴とする。
【０００９】
このような構成によれば、スライド体に一体形成されたラック歯とレバー部材に一体形成された部分円筒歯車とが噛合するので、スライド体の障子開閉方向へのスライド動作とレバー部材の垂直支軸まわりの回動動作とが連動する。
よって、スライド体の脱落を防止するために特許文献１のような鍔状の規制部を設ける必要がないとともに、スライド体を押圧して基体内に戻す復帰ばねが必須の構成部品ではないので、構成がより簡素になるため、構成部品数を少なくして製造コストを低減できるとともに、基体のスライド体まわりの見込み方向の厚みを小さくできるため、よりコンパクトに形成できる。
その上、スライド体が最も後退した位置で取付ねじ挿通孔がレバー部材により被われるので、取付ねじが視認されにくいため、特許文献１のような取付ねじを隠すキャップを基体に装着しなくても意匠性が損なわれることがないため、製造コストを更に低減できる。
その上さらに、スライド体が最も後退した位置で、レバー部材が、特許文献１のような障子の面に対して略直角ではなく、縦枠側へ倒れた状態であるので、レバー部材の見込み方向の突出量が小さいため、よりコンパクトな外観になる。
【００１１】
また、前記基体、前記スライド体、及び前記レバー部材を合成樹脂製とするとともに、前記垂直支軸を前記基体及び前記レバー部材間の凹凸嵌合により形成してなると好ましい。
このような構成によれば、垂直支軸が基体及びレバー部材間の凹凸嵌合により形成されるので、特許文献１のような金属製の支軸が不要になるため、製造コストを一層低減できる。
その上、基体、スライド体、及びレバー部材が合成樹脂製であるので、例えば射出成形により製造することにより、製造コストを更に一層低減できる。
【００１２】
更に、前記基体及び前記レバー部材間にねじりコイルばねを取り付けて、前記基体に対して前記レバー部材を回動させる弾性付勢力を作用させることにより、前記障子を開けた状態で前記スライド体を最も後退した位置までスライドさせると好ましい。
このような構成によれば、スライド体の障子開閉方向へのスライド動作とレバー部材の垂直支軸まわりの回動動作とが連動するので、スライド体を最も後退した位置まで戻す復帰ばねを、スライド体を押圧するものとする必要がなく、基体及びレバー部材間に取り付けたねじりコイルばねとすることができる。
よって、復帰ばねであるねじりコイルばねを設けてもコンパクトな形態を維持できるとともに、スライド体を最も後退した位置に戻す操作が自動的に行われるため、操作性を向上できる。
【発明の効果】
【００１３】
以上の構成の本発明に係る開放操作力軽減機能付き引手装置によれば、
（１）スライド体の障子開閉方向へのスライド動作とレバー部材の垂直支軸まわりの回動動作とが連動するので、スライド体の脱落を防止するために特許文献１のような鍔状の規制部を設ける必要がないとともに、スライド体を押圧して基体内に戻す復帰ばねが必須の構成部品ではないことから、構成がより簡素になるため、構成部品数を少なくして製造コストを低減できるとともに、基体のスライド体まわりの見込み方向の厚みを小さくできるため、よりコンパクトに形成できること、
（２）スライド体が最も後退した位置（待機位置）で、レバー部材により取付ねじ挿通孔（取付ねじ）が被われるように、レバー部材が縦枠側へ倒れた状態になるように構成したものでは、取付ねじが視認されにくいので、特許文献１のような取付ねじを隠すキャップを基体に装着しなくても意匠性が損なわれることがないため、製造コストを更に低減できること、
（３）待機位置で、レバー部材により取付ねじ挿通孔（取付ねじ）が被われるように、レバー部材が縦枠側へ倒れた状態になるように構成したものでは、待機位置で、レバー部材が、特許文献１のような障子の面に対して略直角ではなく、縦枠側へ倒れた状態であるので、レバー部材の見込み方向の突出量が小さいため、よりコンパクトな外観になること、
（４）基体、スライド体、及びレバー部材を合成樹脂製とするとともに、垂直支軸を基体及びレバー部材間の凹凸嵌合により形成してなるものでは、特許文献１のような金属製の支軸が不要になるため、製造コストを一層低減できるとともに、例えば射出成形により製造することにより、製造コストを更に一層低減できること、
（５）基体及びレバー部材間にねじりコイルばねを取り付けて、基体に対してレバー部材を回動させる弾性付勢力を作用させることにより、障子を開けた状態でスライド体を待機位置までスライドさせるように構成したものでは、スライド体を押圧する復帰ばねではないので、コンパクトな形態を維持できるとともに、待機位置に戻す操作が自動的に行われるため、操作性を向上できること、
等の顕著な効果を奏する。
【図面の簡単な説明】
【００１４】
【図１】本発明の実施の形態に係る開放操作力軽減機能付き引手装置が用いられた引き違いサッシを示す正面図である。
【図２】本発明の実施の形態に係る開放操作力軽減機能付き引手装置の斜視図である。
【図３】（ａ）は前記引手装置の縦断斜視図、（ｂ）は前記引手装置の横断斜視図である。
【図４】基体の斜視図である。
【図５】前記引手装置の分解斜視図である。
【図６】引き違いサッシの縦枠まわりの横断平面図であり、（ａ）はレバー部材を操作していない状態を、（ｂ）はレバー部材を操作して障子が開いた状態を示している。
【図７】スライド体とレバー部材の噛合による連動、及び梃子の原理による操作力の拡大を説明するための横断平面図である。
【図８】復帰ばねを装着した例を示す前記引手装置の分解斜視図である。
【図９】復帰ばねを装着した例を示す、前記引手装置の裏蓋を外して基体を裏側から見た図である。
【発明を実施するための形態】
【００１５】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、図１に示す室内側から見た図を正面図とし、室内側から室外側へ向かう方向の前側を前、後側を後とし、左右は前方に向かっていうものとする。
ここで、本発明に係る開放操作力軽減機能付き引手装置が使用される引き形式のサッシ窓又は引戸の開閉形式として、引違い、片引き又は両引き（引分け）があるが、以下においては、代表例として引き違いサッシについて説明する。
【００１６】
図１の正面図に示すように、引き違いサッシ１０は、枠体１１内に配置された、例えば複層ガラス１４，１５入りの引き違い可能な室内側障子１２及び室外側障子１３を左右方向（障子開閉方向Ａ）にスライドさせて開口部を開閉するものであり、召合せ框部１６には施錠装置２１が取り付けられる。
【００１７】
また、室内側障子１２及び室外側障子１３の戸先框１７，１８には、本発明の実施の形態に係る開放操作力軽減機能付き引手装置１，１が取り付けられていることから、解錠状態でレバー部材４の室内側端部を障子１２又は１３を開く方向へ操作することにより、操作力が梃子の原理により拡大されてスライド体３（例えば、図２の斜視図及び図６の横断平面図参照）に伝達されるので、拡大された操作力によりスライド体３が縦枠１９又は２０に向かって進出して障子１２，１３が開く。
すなわち、例えば図１及び図６（ａ）に示す障子１３が閉じた状態から、解錠状態で、レバー部材４の室内側端部（指掛け部４Ｅ）を図６（ａ）の矢印Ｂ１のように右方（障子開方向Ｂ）へ操作することにより、図６（ｂ）のように、スライド体３が縦枠２０に向かって左方へ進出して縦枠２０を押圧するので、障子１３が矢印Ｂ２のように開く。そして、スライド体３が縦枠２０を押す押圧力は、図７の横断平面図におけるレバー部材４の腕の長さをＤ、ピッチ円半径をＥとすると、梃子の原理により、レバー部材４の操作力の（Ｄ／Ｅ）倍になる。
【００１８】
次に、本発明の実施の形態に係る開放操作力軽減機能付き引手装置１の構成及び動作について説明する。
なお、障子１２，１３の戸先框１７，１８に取り付けられる引手装置１，１は同様の構成であるため、以下において、室外側障子１３の戸先框１８に取り付けられる引手装置１を代表させて、その構成及び動作について説明する。
【００１９】
図１の正面図、図２の斜視図、並びに図３（ａ）の縦断斜視図及び図３（ｂ）の横断斜視図に示すように、引手装置１は、引き違いサッシ１０における障子１３の戸先框１８の室内側面に図示しない取付ねじで固定される縦長の基体２、基体２に形成されたスライド体支持孔２Ｄに嵌合して基体２により障子開閉方向Ａにスライド可能に支持され、スライド体支持孔２Ｄから引き違いサッシ１０の縦枠２０に向かって進退するスライド体３、及び、スライド体３を操作する、基体２により垂直支軸Ｃ（図６及び図７参照）まわりに回動可能に支持されたレバー部材４を備えている。
ここで、基体２、スライド体３、及びレバー部材４は、ポリアセタール、ポリプロピレン、ナイロン又はＡＢＳ等の合成樹脂製である。
【００２０】
前記取付けねじが挿通される取付ねじ挿通孔２Ｅ，２Ｅは、基体２のスライド体支持孔２Ｄの上下位置に形成され、垂直支軸Ｃは、取付ねじ挿通孔２Ｅ，２Ｅよりも縦枠２０から遠い位置に設けられる。なお、前記取付けねじは、基体２の取付ねじ挿通孔２Ｅ，２Ｅ、及び裏蓋５の取付ねじ挿通孔５Ｅ，５Ｅを通して、障子１３の戸先框１８の螺孔に螺合する。
また、スライド体３の室内側面の縦枠２０から遠い側の部分にラック歯３Ａ，３Ａが一体形成されるとともに、ラック歯３Ａ，３Ａに噛合する、垂直支軸Ｃを回動中心軸とした部分円筒歯車４Ａ，４Ａがレバー部材４に一体形成される。
【００２１】
図４の基体２の斜視図、及び図５の引手装置１の分解斜視図に示すように、基体２のレバー部材取付開口２Ａに裏側からレバー部材４を入れ、レバー部材４の上下の円筒軸４Ｂ，４Ｂを基体２の上下の係合凹部２Ｂ，２Ｂに挿入して上下の円弧状凹部２Ｃ，２Ｃに当接させる。
この状態でレバー部材４の回動位置は、図６（ｂ）のように開放操作した状態に対応する位置とする。この状態で基体２のスライド体支持孔２Ｄから基体２内にスライド体３を挿入し、レバー部材４の部分円筒歯車４Ａ，４Ａにスライド体３のラック歯３Ａ，３Ａを噛合させる。
この状態で裏蓋５の係合突片５Ａ，５Ａ，５Ａを基体２の係合凹部２Ｆ，２Ｆ，２Ｆに係合させた後、裏蓋５の係合突片５Ｂ，５Ｂを基体２の係合凹部２Ｇ，２Ｇに係合するように押し込むことにより組立が完了し、この状態では、裏蓋５の上下の立起部５Ｃ，５Ｃの円弧状凹部５Ｄ，５Ｄがレバー部材４の上下の円筒軸４Ｂ，４Ｂに当接する。
よって、円筒軸４Ｂ，４Ｂは、基体２の円弧状凹部２Ｃ，２Ｃ、及び裏蓋５の円弧状凹部５Ｄ，５Ｄに当接した状態で垂直支軸Ｃ（円筒軸４Ｂ，４Ｂの軸芯であり、図６及び図７参照）まわりに回動する。すなわち、垂直支軸Ｃは、基体２及びレバー部材４間の凹凸嵌合により形成される。
【００２２】
以上のような開放操作力軽減機能付き引手装置１の構成によれば、スライド体３に一体形成されたラック歯３Ａ，３Ａとレバー部材４に一体形成された部分円筒歯車４Ａ，４Ａとが噛合するので、スライド体３の障子開閉方向Ａへのスライド動作とレバー部材４の垂直支軸Ｃまわりの回動動作とが連動する。
よって、スライド体３の脱落を防止するために特許文献１のような鍔状の規制部を設ける必要がないとともに、スライド体３を押圧して基体２内に戻す復帰ばねが必須の構成部品ではないので、構成がより簡素になるため、構成部品数を少なくして製造コストを低減できるとともに、基体２のスライド体３まわりの見込み方向（前後方向）の厚みを小さくできるため、よりコンパクトに形成できる。
また、基体２、スライド体３、及びレバー部材４を合成樹脂製とするとともに、垂直支軸Ｃを基体２及びレバー部材４間の凹凸嵌合により形成しているので、特許文献１のような金属製の支軸が不要になるため、製造コストを更に低減できるとともに、基体２、スライド体３、及びレバー部材４が合成樹脂製であるので、例えば射出成形により製造することにより、製造コストを一層低減できる。
【００２３】
更に、図１、図２、及び図６（ａ）に示すように、障子１３を閉じた状態では、スライド体３が最も後退した位置（以下、「待機位置」という）となっており、レバー部材４が縦枠２０側へ倒れているので、基体２を室内側から見ると、レバー部材４により取付ねじ挿通孔２Ｅ，２Ｅ（前記取付ねじ）が被われる。このように待機位置で取付ねじ挿通孔２Ｅ，２Ｅがレバー部材４により被われることから、前記取付ねじが視認されにくいので、特許文献１のような取付ねじを隠すキャップを基体２に装着しなくても意匠性が損なわれることがないため、製造コストを更に一層低減できる。
【００２４】
なお、本発明は、スライド体３の障子開閉方向Ａへのスライド動作とレバー部材４の垂直支軸Ｃまわりの回動動作とが連動するので、スライド体３を待機位置まで戻す復帰ばねを設ける必要はなく、前記復帰ばねを設けない場合は、図６（ｂ）のように開放操作した後に、手動操作で図２及び図６（ａ）のように縦枠２０側へ倒れた状態に戻すことにより、前記取付ねじが視認されにくくなる。
更にまた、待機位置で、レバー部材４が、特許文献１のような障子１３の面に対して略直角ではなく、縦枠２０側へ倒れた状態であるので、レバー部材４の見込み方向の突出量が小さいため、よりコンパクトな外観になる。
【００２５】
次に、本発明の実施の形態に係る開放操作力軽減機能付き引手装置１において、スライド体３を待機位置まで戻す復帰ばねＦの装着例について説明する。
図８の引手装置１の分解斜視図、及び図９の引手装置１の裏蓋５を外して基体２を裏側から見た図において、復帰ばねＦは、基体２及びレバー部材４間に装着されるねじりコイルばね６である。
すなわち、レバー部材４の上下の部分円筒歯車４Ａ，４Ａ間の下方及び上方へ突出する上下のばね支持部４Ｃ，４Ｃをねじりコイルばね６のコイル内に入れた状態で、ねじりコイルばね６は、レバー部材４の部分円筒歯車４Ａ，４Ａ間に収容される。そして、ねじりコイルばね６の端末６Ａがレバー部材４の端末支持部４Ｄにより支持され、ねじりコイルばね６の端末６Ｂが基体２の端末支持部２Ｈにより支持される。
そして、ねじりコイルばね６の自由状態では、図２及び図６（ａ）のようにレバー部材４が縦枠２０側へ倒れた状態になっている。
よって、図６（ｂ）のように開放操作した後に、レバー部材４は、ねじりコイルばね６の弾性変形に基づく復元力により、図２及び図６（ａ）のように縦枠２０側へ倒れた状態に復帰する。そして、スライド体３は、レバー部材４の回動動作に連動するので、レバー部材４が縦枠２０側へ倒れた状態に復帰する回動動作に伴って、図２及び図６（ａ）の待機位置までスライドする。
【００２６】
以上のように、スライド体３の障子開閉方向Ａへのスライド動作とレバー部材４の垂直支軸Ｃまわりの回動動作とが連動するので、スライド体３を待機位置まで戻す復帰ばねＦを、スライド体３を押圧するものとする必要がなく、基体２及びレバー部材４間に取り付けたねじりコイルばね６とすることができる。
よって、復帰ばねＦであるねじりコイルばね６を設けてもコンパクトな形態を維持できるとともに、スライド体３を待機位置に戻す操作が自動的に行われるため、操作性を向上できる。
【００２７】
以上の説明においては、開放操作力軽減機能付き引手装置１を室内側に取り付ける場合を示したが、引手装置１を引戸に用いる場合においては、引手装置１を引戸障子の戸先框の室内側のみならず、室外側にも取り付けることができる。その場合には、閉じた状態の引戸障子を室内側のレバー部材４又は室外側のレバー部材４を操作して開く際における、レバー部材４を操作する開放操作力を軽減することができる。
【符号の説明】
【００２８】
１  開放操作力軽減機能付き引手装置
２  基体
２Ａ  レバー部材取付開口
２Ｂ  係合凹部
２Ｃ  円弧状凹部
２Ｄ  スライド体支持孔
２Ｅ  取付ねじ挿通孔
２Ｆ，２Ｇ  係合凹部
２Ｈ  端末支持部
３  スライド体
３Ａ  ラック歯
４  レバー部材
４Ａ  部分円筒歯車
４Ｂ  円筒軸
４Ｃ  ばね支持部
４Ｄ  端末支持部
４Ｅ  指掛け部
５  裏蓋
５Ａ，５Ｂ  係合突片
５Ｃ  立起部
５Ｄ  円弧状凹部
５Ｅ  取付ねじ挿通孔
６  ねじりコイルばね
６Ａ，６Ｂ  端末
１０  引き違いサッシ
１１  枠体
１２  室内側障子
１３  室外側障子
１４，１５  複層ガラス
１６  召合せ框部
１７，１８  戸先框
１９，２０  縦枠
２１  施錠装置
Ａ  障子開閉方向
Ｂ  障子開方向
Ｃ  垂直支軸
Ｄ  腕の長さ
Ｅ  ピッチ円半径
Ｆ  復帰ばね
【図１】
0006414415.tif 000002
【図２】
0006414415.tif 000003
【図３】
0006414415.tif 000004
【図４】
0006414415.tif 000005
【図５】
0006414415.tif 000006
【図６】
0006414415.tif 000007
【図７】
0006414415.tif 000008
【図８】
0006414415.tif 000009
【図９】
0006414415.tif 000010